(57)【特許請求の範囲】
【請求項１】
本体ケースの開口部から臨む位置に収容部を有する第一の電気的な接続部分としての電気接続箱本体と、前記収容部に収容される電子部品ユニットと、前記開口部を覆うカバーとを備える電気接続箱において、
前記電子部品ユニットは、
仕様に応じた基板や各種電子部品が変更可能に収容されるケースであり、短手方向の幅で向かい合う壁を前記カバーによって圧入又は挟持される部分とする一定形状のユニット側着脱部が形成された断面長方形の所定形状のユニットケースを有し、
前記収容部は、
前記電子部品ユニットを内部に案内する部分となるガイド部が形成されており、
前記ユニットケースは、
前記ガイド部によって前記収容部内に案内される部分となる被ガイド部が長手方向の両端面に形成されており、
前記カバーは、
前記ユニット側着脱部に対し着脱自在で一定形状のカバー側着脱部が形成されており、
前記ユニット側着脱部及び前記カバー側着脱部を介し前記電子部品ユニットに前記カバーを装着して第二の電気的な接続部分としてのカバー機能付き電子部品ユニットを形成する
前記カバー機能付き電子部品ユニットを前記電気接続箱本体に対して組み付けることによって、前記開口部が前記カバーによって覆われ、かつ、前記電子部品ユニットが前記ガイド部によって前記被ガイド部が案内されながら前記収容部に収容される
ことを特徴とする電気接続箱。
【請求項２】
請求項１に記載の電気接続箱において、
当該電気接続箱の仕様変更に応じるために、前記ユニットケースに仕様に応じた基板や各種電子部品を収容した前記電子部品ユニットを複数種用意しておき、該複数種の中から選定された前記電子部品ユニットに前記カバーを装着して前記カバー機能付き電子部品ユニットを形成する
ことを特徴とする電気接続箱。
【発明の詳細な説明】
【技術分野】
【０００１】
本発明は、自動車等の車両に搭載される電気接続箱に関し、詳しくは電子部品ユニットを構成に含む電気接続箱に関する。
【背景技術】
【０００２】
自動車等の車両に搭載される電気機器として、例えば電気接続箱が挙げられる。電気接続箱は、リレーボックスやヒューズボックス、或いはジャンクションブロック等を総称するものとして知られる。以下、従来の電気接続箱に関し簡単に説明をする。
【０００３】
図５ないし図７において、従来の電気接続箱１は、電気接続箱本体２と、電子部品ユニット３と、アッパーカバー４と、ロアカバー５とを備えて構成される。電気接続箱本体２は、樹脂製の本体ケース６と、この内部に設けられる図示しない電気回路とを有する。本体ケース６の開口部７から臨む位置には、収容部８が形成される。収容部８は、電子部品ユニット３を収容するための部分として形成される。電子部品ユニット３としては、例えばＥＣＵ等が挙げられる。アッパーカバー４は、樹脂製のものであって、開口部７を覆うことができるように形成される。
【０００４】
尚、下記特許文献１には、上記電気接続箱１に類似する技術が開示されている。
【先行技術文献】
【特許文献】
【０００５】
【特許文献１】特開２０１０−５１１６１号公報
【発明の概要】
【発明が解決しようとする課題】
【０００６】
上記従来の電気接続箱１にあっては、自動車の組み立てラインでの作業として、少なくとも本体ケース６の収容部８に電子部品ユニット３を収容する作業と、本体ケース６の開口部７をアッパーカバー４にて覆う作業とを行う必要があることから、これらの作業の分だけ工数が掛かってしまうという問題点を有する。
【０００７】
本発明は、上記した事情に鑑みてなされたもので、作業工数の削減を図ることが可能な電気接続箱を提供することを課題とする。
【課題を解決するための手段】
【０００８】
上記課題を解決するためになされた請求項１に記載の本発明の電気接続箱は、本体ケースの開口部から臨む位置に収容部を有する第一の電気的な接続部分としての電気接続箱本体と、前記収容部に収容される電子部品ユニットと、前記開口部を覆うカバーとを備える電気接続箱において、前記電子部品ユニットは、仕様に応じた基板や各種電子部品が変更可能に収容されるケースであり、短手方向の幅で向かい合う壁を前記カバーによって圧入又は挟持される部分とする一定形状のユニット側着脱部が形成された断面長方形の所定形状のユニットケースを有し、前記収容部は、前記電子部品ユニットを内部に案内する部分となるガイド部が形成されており、前記ユニットケースは、前記ガイド部によって前記収容部内に案内される部分となる被ガイド部が長手方向の両端面に形成されており、前記カバーは、前記ユニット側着脱部に対し着脱自在で一定形状のカバー側着脱部が形成されており、前記ユニット側着脱部及び前記カバー側着脱部を介し前記電子部品ユニットに前記カバーを装着して第二の電気的な接続部分としてのカバー機能付き電子部品ユニットを形成する前記カバー機能付き電子部品ユニットを前記電気接続箱本体に対して組み付けることによって、前記開口部が前記カバーによって覆われ、かつ、前記電子部品ユニットが前記ガイド部によって前記被ガイド部が案内されながら前記収容部に収容されることを特徴とする。
【０００９】
このような特徴を有する本発明によれば、カバー機能付き電子部品ユニットを電気接続箱本体に対し組み付ける作業を行うと、この組み付けの作業だけで電子部品ユニットが本体ケースの収容部に収容されるとともに、本体ケースの開口部がカバーにて覆われる。
【００１０】
請求項２に記載の本発明は、請求項１に記載の電気接続箱において、当該電気接続箱の仕様変更に応じるために、前記ユニットケースに仕様に応じた基板や各種電子部品を収容した前記電子部品ユニットを複数種用意しておき、該複数種の中から選定された前記電子部品ユニットに前記カバーを装着して前記カバー機能付き電子部品ユニットを形成することを特徴とする。
【００１１】
このような特徴を有する本発明によれば、電気接続箱の仕様変更が必要になった場合であっても、複数種の電子部品ユニットの中から最適なものを選定し、これにカバーを装着すればよい。本発明によれば、電子部品ユニットのみの変更で電気接続箱の仕様変更に対応することが可能になる。
【発明の効果】
【００１２】
請求項１に記載された本発明によれば、電子部品ユニットにカバーを装着してカバー機能付き電子部品ユニットを予め形成しておき、そして、このカバー機能付き電子部品ユニットの状態で電気接続箱の組み付け作業を行えばよいことから、従来例のものと比べて作業工数の削減を図ることができるという効果を奏する。
【００１３】
請求項２に記載された本発明によれば、請求項１の効果に加え次のような効果を更に奏する。すなわち、電気接続箱の仕様変更に柔軟且つスピーディーに対応することができるという効果を奏する。
【図面の簡単な説明】
【００１４】
【図１】本発明に係る電気接続箱の組み付け作業の途中状態を示す斜視図である。
【図２】カバー機能付き電子部品ユニットの拡大斜視図である。
【図３】カバー機能付き電子部品ユニットの図であり、（ａ）は分解斜視図、（ｂ）はユニット側着脱部及びカバー側着脱部の模式図である。
【図４】電気接続箱の組み付け作業の完了状態を示す斜視図である。
【図５】従来例に係る電気接続箱の図であり、本体ケースの収容部に電子部品ユニットを収容する作業を示す斜視図である。
【図６】本体ケースの開口部をアッパーカバーにて覆う作業の状態を示す斜視図である。
【図７】図５の電気接続箱の組み付け作業の完了状態を示す斜視図である。
【発明を実施するための形態】
【００１５】
電気接続箱は、電気接続箱本体と、カバー機能付き電子部品ユニットとを備えて構成される。電気接続箱本体は、樹脂製の本体ケースと、この内部に設けられる電気回路とを有する。本体ケースの開口部から臨む位置には、電子部品ユニットに対する収容部が形成される。カバー機能付き電子部品ユニットは、電子部品ユニットにカバーを装着して一体化することにより形成される。カバー機能付き電子部品ユニットは、電気接続箱本体に対し組み付けを行うと、この組み付けによって本体ケースの収容部に電子部品ユニットが収容され、また、カバーにて本体ケースの開口部が覆われる。上記一体化に関し、電子部品ユニットには、一定形状のユニット側着脱部が形成される。また、カバーには、ユニット側着脱部に対し着脱自在で一定形状のカバー側着脱部が形成される。
【実施例】
【００１６】
以下、図面を参照しながら実施例を説明する。図１は本発明に係る電気接続箱の組み付け作業の途中状態を示す斜視図である。また、図２はカバー機能付き電子部品ユニットの拡大斜視図、図３はカバー機能付き電子部品ユニットの図、図４は電気接続箱の組み付け作業の完了状態を示す斜視図である。尚、図１中の矢印Ｐは上下方向、矢印Ｑは左右方向、矢印Ｒは前後方向を示すものとする。
【００１７】
＜電気接続箱２１について＞
図１において、引用符号２１は自動車の所定位置に搭載される本発明の電気接続箱を示す。また、引用符号２２は、電気接続箱２１から引き出されるワイヤハーネスを示す。この他、特に図示しないが、電源側からの別なワイヤハーネスが引き込まれるようになる。
【００１８】
電気接続箱２１は、電気接続箱本体２３と、この電気接続箱本体２３の下側から組み付けられる樹脂製のロアカバー２４と、電気接続箱本体２３の上側から組み付けられるカバー機能付き電子部品ユニット２５とを備えて構成される。電気接続箱２１は、上記の構成により二つの電気的な機能部分を有する。すなわち、第一の電気的な機能部分（リレーボックスに相当する機能部分）として電気接続箱本体２３を有する。また、第二の電気的機能部分（例えばパワーインテグレーションに相当する機能部分）としてカバー機能付き電子部品ユニット２５を有する。
【００１９】
本発明の電気接続箱２１は、以下の説明から分かるようになるが、作業工数削減に貢献する構成及び構造を有する点が特徴になる。
【００２０】
＜電気接続箱本体２３について＞
電気接続箱本体２３は、絶縁性を有する樹脂製の本体ケース２６と、導電性を有する図示しないバスバーを含む電気回路と、図示しないヒューズ及びヒュージブルリンクと、同じく図示しないリレー等とを備えて構成される。
【００２１】
本体ケース２６には、外周壁２７と、上面開口部２８（開口部）と、図示しない下面開口部とが形成される。また、外周壁２７には、固定脚部２９、３０と、ロック部３１、３２と、ハーネス保持筒３３とが形成される。
【００２２】
固定脚部２９、３０は、外周壁２７から外側に突出する脚状部分に形成される。固定脚部２９、３０は、図示しないボディ等に電気接続箱２１を固定するための部分として形成される。ロック部３１は、後述するアッパーカバー４６を係止するための部分として形成される。このようなロック部３１は、外周壁２７の上端近傍に配置形成される。一方、ロック部３２は、ロアカバー２４を係止するための部分として形成される。このようなロック部３２は、外周壁２７の下端近傍に配置形成される。ロック部３２は、複数箇所に形成される。
【００２３】
ハーネス保持筒３３は、ワイヤハーネス２２の引き出し位置に配置形成される。ハーネス保持筒３３は、半円筒形状又は円弧形状に形成される。ハーネス保持筒３３は、ロアカバー２４の後述するハーネス導出４４に対向して重なると、この重なり部分が円形になるような部分に形成される。ハーネス保持筒３３は、テープ巻きにてワイヤハーネス２２を保持することができるように形成される。
【００２４】
外周壁２７の内側には、各種のキャビティ３４〜３６と、収容部３７とが形成される。これらは、本体ケース２６の上面開口部２８から臨む位置に配置形成される。キャビティ３４〜３６は、図示しないヒューズやヒュージブルリンクを装着する部分として形成される。キャビティ３４〜３６の内部には、図示しない電気回路の一部が配置される。尚、電気回路は、ワイヤハーネス２２に対する接続部分を有する。キャビティ３４〜３６に図示しないヒューズやヒュージブルリンク等が装着されると、公知のリレーボックスに相当する機能部分が形成される。
【００２５】
収容部３７は、後述する電子部品ユニット４５を収容するための部分として形成される。収容部３７は、平面視略長方形で底が深くなるような凹み部分として形成される。収容部３７は、例えばこの底部分からワイヤハーネス２２の分岐線３８、３９及びコネクタ４０、４１（図２参照）を引き出すことができるように形成される。収容部３７の左右内面には、ガイド部４２がそれぞれ形成される。ガイド部４２は、電子部品ユニット４５を収容する際にこれを案内する部分として形成される。
【００２６】
＜ロアカバー２４について＞
ロアカバー２４は、本体ケース２６の図示しない下面開口部を覆うことができるように形成される。このようなロアカバー２４には、本体ケース２６のロック部３２に係止されるロック部４３が複数形成される。また、ロアカバー２４には、ハーネス導出４４が形成される。ハーネス導出４４は、ワイヤハーネス２２を導出する部分に配置形成される。ハーネス導出４４は、ハーネス保持筒３３よりも短い形状に形成される。
【００２７】
＜カバー機能付き電子部品ユニット２５について＞
図１ないし図４において、カバー機能付き電子部品ユニット２５は、電子部品ユニット４５と、アッパーカバー４６（カバー）とを備えて構成される。カバー機能付き電子部品ユニット２５は、電子部品ユニット４５にアッパーカバー４６を装着して一体化することにより形成される。
【００２８】
＜電子部品ユニット４５について＞
電子部品ユニット４５としては、例えばパワーインテグレーションが挙げられる。このような電子部品ユニット４５は、ユニットケース４７と、このユニットケース４７内に収容される基板や各種電子部品等とを備えて構成される。ユニットケース４７には、一対の被ガイド部４８と、ユニット側着脱部４９とが形成される。被ガイド部４８は、収容部３７のガイド部４２に案内される部分として形成される。
【００２９】
電子部品ユニット４５には、コネクタ５０、５１が設けられる。このコネクタ５０、５１は、ワイヤハーネス２２の分岐線３８、３９が引き出された後に、分岐線３８、３９の端末に設けられるコネクタ４０、４１を接続することができるように形成される（図２参照）。
【００３０】
尚、電子部品ユニット４５は、電気接続箱２１の仕様変更に応じるために複数種用意されるものとする（ユニットケース４７は共通で使用され、ユニットケース４７内に収容される基板や各種電子部品等を変更する）。また、電子部品ユニット４５は、複数種の中から選定されたものが使用されるものとする。
【００３１】
＜ユニット側着脱部４９について＞
ユニット側着脱部４９は、電子部品ユニット４５にアッパーカバー４６を装着して一体化する際に必要となる部分として形成される。このようなユニット側着脱部４９は、一定形状（共通化された形状）に形成される。ユニット側着脱部４９は、本実施例において、ユニットケース４７の前面及び後面をそのまま利用するようにして形成される。また、後述するカバー側着脱部５１によって圧入又は挟持されるような部分にも形成される（一例であるものとする。ユニット側着脱部４９は、アッパーカバー４６を着脱自在にすることができる部分であれば、また、一定形状（共通化された形状）にすることができる部分であれば、特に本実施例に限定されないものとする）。
【００３２】
＜アッパーカバー４６について＞
アッパーカバー４６は、本体ケース２６の上面開口部２８を覆うことができるように形成される。このようなアッパーカバー４６には、本体ケース２６のロック部３１に係止されるロック部５２が形成される。また、アッパーカバー４６には、カバー側着脱部５３が形成される。
【００３３】
＜カバー側着脱部５３について＞
カバー側着脱部５３は、電子部品ユニット４５のユニット側着脱部４９に対し着脱自在に装着される部分として形成される。カバー側着脱部５３は、本実施例において、ユニット側着脱部４９を圧入又は挟持することができるような部分に形成される（図３（ｂ）参照。形状は一例であるものとする）。
【００３４】
＜カバー機能付き電子部品ユニット２５の組み付けについて＞
図３において、カバー機能付き電子部品ユニット２５は、ユニット側着脱部４９及びカバー側着脱部５３を介して電子部品ユニット４５にアッパーカバー４６を装着することにより一体化状態に形成される。カバー機能付き電子部品ユニット２５は、例えば自動車の組み立てラインに搬送される前に上記の如く組み付けられて一体化状態に形成される。
【００３５】
＜自動車の組み立てラインでの電気接続箱２１の組み付け作業について＞
上記構成及び構造において、図１に示す如く電気接続箱本体２３の上側にカバー機能付き電子部品ユニット２５を配置し（この時、ワイヤハーネス２２の分岐線３８、３９を引き出してコネクタ接続を行うものとする）、そして、このカバー機能付き電子部品ユニット２５を下方に移動させて電気接続箱本体２３に対し組み付けを行うと、本体ケース２６の収容部３７に電子部品ユニット４５が収容され、また、アッパーカバー４６にて本体ケース２６の上面開口部２８が覆われる（図４参照）。すなわち、従来例では二つの作業であったものが、本発明では一つの作業で済ませることができる。
【００３６】
＜本発明のまとめ及び効果について＞
以上、図１ないし図４を参照しながら説明してきたように、電気接続箱２１は、電気接続箱本体２３と、カバー機能付き電子部品ユニット２５とを備えて構成される。電気接続箱本体２３は、樹脂製の本体ケース２６と、この内部に設けられる電気回路とを有する。本体ケース２６の上面開口部２８から臨む位置には、電子部品ユニット４５に対する収容部３７が形成される。
【００３７】
カバー機能付き電子部品ユニット２５は、電子部品ユニット４５にアッパーカバー４６を装着して一体化することにより形成される。カバー機能付き電子部品ユニット２５は、電気接続箱本体２３に対し組み付けを行うと、この組み付けによって本体ケース２６の収容部３７に電子部品ユニット４５が収容され、また、アッパーカバー４６にて本体ケース２６の上面開口部２８が覆われる。
【００３８】
上記一体化に関し、電子部品ユニット４５には、一定形状のユニット側着脱部４９が形成される。また、アッパーカバー４６には、ユニット側着脱部４９に対し着脱自在で一定形状のカバー側着脱部５３が形成される。
【００３９】
従って、本発明によれば、電子部品ユニット４５にアッパーカバー４６を装着してカバー機能付き電子部品ユニット２５を予め形成しておき、そして、このカバー機能付き電子部品ユニット２５の状態で電気接続箱２１の組み付け作業を行えばよいことから、従来例のものと比べて作業工数の削減を図ることができるという効果を奏する。
【００４０】
この他、本発明によれば、電気接続箱２１の仕様変更が必要になった場合であっても、複数種の電子部品ユニット４５の中から最適なものを選定し、これにアッパーカバー４６を装着すればよいことから、電子部品ユニット４５のみの変更で電気接続箱２１の仕様変更に対応することができるという効果を奏する。
【００４１】
すなわち、電気接続箱２１の仕様変更に柔軟且つスピーディーに対応することができるという効果を奏する。
【００４２】
本発明は本発明の主旨を変えない範囲で種々変更実施可能なことは勿論である。
【符号の説明】
【００４３】
２１…電気接続箱、  ２２…ワイヤハーネス、  ２３…電気接続箱本体、  ２４…ロアカバー、  ２５…カバー機能付き電子部品ユニット、  ２６…本体ケース、  ２７…外周壁、  ２８…上面開口部（開口部）、  ２９、３０…固定脚部、  ３１、３２…ロック部、  ３３…ハーネス保持筒、  ３４〜３６…キャビティ、  ３７…収容部、  ３８、３９…分岐線、  ４０、４１…コネクタ、  ４２…ガイド部、  ４３…ロック部、  ４４…ハーネス導出、  ４５…電子部品ユニット、  ４６…アッパーカバー（カバー）、  ４７…ユニットケース、  ４８…被ガイド部、  ４９…ユニット側着脱部、  ５０、５１…コネクタ、  ５２…ロック部、  ５３…カバー側着脱部
【図１】
0006576671.tif 000002
【図２】
0006576671.tif 000003
【図３】
0006576671.tif 000004
【図４】
0006576671.tif 000005
【図５】
0006576671.tif 000006
【図６】
0006576671.tif 000007
【図７】
0006576671.tif 000008